(57)【特許請求の範囲】
【請求項１】
インクを貯留するインク室及び検出部を有し、かつその外壁に被係合部が設けられた容器本体と、
上記容器本体が挿入可能なカートリッジ装着部と、
上記カートリッジ装着部に挿入された容器本体を脱抜方向へ付勢する弾性部材と、
上記カートリッジ装着部に設けられたセンサと、
上記カートリッジ装着部に挿入された上記容器本体の検出部を上記センサが検出可能となる位置において、当該容器本体の被係合部と係合して、当該容器本体を上記弾性部材の付勢に抗して上記脱抜方向に対して制止するロック部材と、
上記ロック部材が係合可能に上記被係合部を露出させる開口を有し、上記容器本体を覆うカバー部材と、を具備するインク供給装置。
【請求項２】
上記容器本体に、上記インク室からインクを外部へ流出可能なポートが設けられ、
上記カートリッジ装着部に、上記ポートに接続可能なジョイントが設けられ、
上記ロック部材が上記容器本体の被係合部と係合した状態で、上記ポートと上記ジョイントとが接続される請求項１に記載のインク供給装置。
【請求項３】
上記検出部に、上記インク室におけるインク量が所定量以下となるときに姿勢変化するインジケータが設けられた請求項１又は２に記載のインク供給装置。
【請求項４】
上記ロック部材は、
第１端に上記被係合部と係合するロック部が設けられ、第２端に操作レバーが設けられたロックアームと、
当該ロックアームを、上記ロック部が上記被係合部から離脱する第１姿勢と、上記ロック部が上記被係合部と係合する第２姿勢との間で回動可能に支持する支持機構と、を具備する請求項１から３のいずれかに記載のインク供給装置。
【発明の詳細な説明】
【技術分野】
【０００１】
本発明は、センサを有するカートリッジ装着部に、検出部を有する容器本体が挿入され、脱抜方向に対してロックされることにより、容器本体がカートリッジ装着部に装着されてセンサが検出部を検出可能となるインク供給装置に関する。
【背景技術】
【０００２】
従来より、インクを用いて記録用紙（被記録媒体）に画像を記録する画像記録装置が知られている。この画像記録装置は、インクジェット方式の記録ヘッドを備え、記録ヘッドのノズルからインク滴を記録用紙へ向けて選択的に噴出する。このインク滴が記録用紙に着弾することによって、記録用紙に所望の画像が記録される。この画像記録装置には、記録ヘッドへ供給するインクを貯蔵するインク容器が設けられる。このインク容器は、カートリッジ形式が採用されて、画像記録装置に設けられたカートリッジ装着部に対して着脱可能とされることが多い。このようなカートリッジ形式のインク容器はインクカートリッジとも称される。
【０００３】
インクカートリッジ内のインクが無くなると、そのインクカートリッジが画像記録装置のカートリッジ装着部から取り外されて、インクを貯蔵する新たなインクカートリッジがカートリッジ装着部に装着される。このようにインクカートリッジがカートリッジ装着部に対して着脱可能な画像記録装置においては、インクカートリッジを位置決めしたり、インクカートリッジの装着状態をロックしたりするための構造が採用されている。
【０００４】
特許文献１には、インクカートリッジ（１４）がリフィルユニット（１３）内に装着されて扉（４１）が閉塞姿勢にされると、インクカートリッジ（１４）の背面の一部である押圧部（２００ａ）に押圧保持部材（６１）が当接し、その押圧保持部材（６１）のコイルバネ（６６）の付勢力によってインクカートリッジ（１４）が保持され、一方、扉（４１）が開放姿勢にされると、扉（４１）に設けられた引出部材（６５）がインクカートリッジ（１４）がリフィルユニット（１３）から引き出される構成が開示されている。
【０００５】
インクカートリッジ（１４）は、インクを貯留するインク貯留体（１００）と、インク貯留体（１００）の略全体を覆うケース（２００）とを主要な構成とする。
【０００６】
インクカートリッジ（１４）には検出部（１４０）が設けられており、検出部（１４０）内におけるセンサアーム（４７０）の姿勢変化がインク残量検出センサ（５７）に検出されて、インクカートリッジ（１４）のインク残量が監視される。
【０００７】
また、インクカートリッジ（１４）には供給バルブ（６２０）が設けられている。この供給バルブ（６２０）は、多機能装置（１）に設けられたインクニードル（４９）が挿入されることにより開放される。供給バルブ（６２０）が開放されると、インク貯留体（１００）に貯留されたインクがインクニードル（４９）を通じて多機能装置（１）へ流出される。
【０００８】
【特許文献１】特開２００７−１９６６５３号公報
【発明の開示】
【発明が解決しようとする課題】
【０００９】
特許文献１におけるインクカートリッジ（１４）に例示されるように、インクカートリッジにおいては、容器本体とカバーとの二重構造が採用されることがある。そして、カートリッジ装着部に対するインクカートリッジの位置決めは、カバーをカートリッジ装着部の内壁や扉に対して当接させることによりなされる。カートリッジ装着部に対するインクカートリッジの位置決め精度は、センサがインクカートリッジの検出部を正確に検出するために重要である。特許文献１では、インク残量に応じて、検出部（１４０）内においてセンサアーム（４７０）が姿勢変化するが、検出部としては、その他にインクカートリッジの種類を判定するためのものなどがあげられる。
【００１０】
しかし、二重構造のインクカートリッジにおいては、カバー及び容器本体の公差が累積され、また、カバーと容器本体との組み付け誤差が生じうる。したがって、カバーをカートリッジ装着部の内壁や扉に対して当接させて、カートリッジ装着部に対してインク容器を位置決めしても、検出部とセンサとの位置決め精度には、前述された公差や組み付け誤差が関与する。その結果、必ずしも検出部とセンサとが精度良く位置決めされず、センサによる検出部の検出が困難となることも生じうる。
【００１１】
また、供給バルブにインクニードルが挿通されて、インクカートリッジが多機能装置などに接続される構成では、供給バルブにおいて弁がストローク可能な範囲であって供給バルブを開放する位置にインクニードルの先端を存在させる必要があるが、このインクニードルと供給バルブとの位置決め精度にも、前述された公差や組み付け誤差が関与しうる。その結果、必ずしもインクニードルの先端が所望の位置に位置決めされず、インクニードルが供給バルブに十分に挿入されないと供給バルブが開放されず、逆にインクニードルが供給バルブの最奥部よりさらに押し込まれると、インクニードルや供給バルブが破損するおそれが生じる。
【００１２】
本発明は、このような事情に鑑みてなされたものであり、その目的とするところは、容器本体の検出部がカートリッジ装着部のセンサとが検出可能な位置において、カートリッジ装着部に対してインクカートリッジが精度良く位置決めできる手段を提供することにある。
【００１３】
また、本発明の他の目的は、容器本体のポートとジョイントとが好適な接続状態となる位置において、カートリッジ装着部に対してインクカートリッジが精度良く位置決めできる手段を提供することにある。
【課題を解決するための手段】
【００１４】
(1)  本発明にかかるインク供給装置は、インクを貯留するインク室及び検出部を有し、かつその外壁に被係合部が設けられた容器本体と、上記容器本体が挿入可能なカートリッジ装着部と、上記カートリッジ装着部に挿入された容器本体を脱抜方向へ付勢する弾性部材と、上記カートリッジ装着部に設けられたセンサと、上記カートリッジ装着部に挿入された上記容器本体の検出部を上記センサが検出可能となる位置において、当該容器本体の被係合部と係合して、当該容器本体を上記弾性部材の付勢に抗して上記脱抜方向に対して制止するロック部材と、上記ロック部材が係合可能に上記被係合部を露出させる開口を有し、上記容器本体を覆うカバー部材と、を具備する。
【００１５】
容器本体は、インク室にインクを貯留する。容器本体には検出部が設けられており、この検出部は、カートリッジ装着部のセンサにより検出可能である。この検出部は、例えばインク室のインク残量に応じて状態変化する。容器本体の外壁にはロック部材と係合しうる被係合部が設けられている。
【００１６】
カートリッジ装着部は、容器本体を収容可能な空間を有する。カートリッジ装着部には、センサが設けられている。このセンサは、カートリッジ装着部に装着された容器本体の検出部を検出可能である。センサの検出信号に基づいて、容器本体のインク残量を判定可能である。
【００１７】
カートリッジ装着部へ挿入された容器本体は、弾性部材によって、カートリッジ装着部から脱抜される脱抜方向へ付勢される。これに対して、ロック部材が容器本体の被係合部と係合して、弾性部材の付勢に抗して容器本体が脱抜方向へ移動することを制止する。ロック部材により制止された位置において、容器本体の検出部がセンサにより検出可能となる。これにより、センサと容器本体の検出部との対応において、容器本体がカートリッジ装着部に対して精度良く位置決めされる。
【００１８】
容器本体がカバー部材で覆われているものの、カバー部材の開口から容器本体の被係合部が露出されているので、この被係合部にロック部材が係合することにより、カートリッジ装着部において容器本体が直接に位置決めされる。
【００１９】
(2)  上記容器本体に、上記インク室からインクを外部へ流出可能なポートが設けられ、上記カートリッジ装着部に、上記ポートに接続可能なジョイントが設けられ、上記ロック部材が上記容器本体の被係合部と係合した状態で、上記ポートと上記ジョイントとが接続されてもよい。
【００２０】
インク室内のインクは、ポートを通じて外部へ流出可能である。カートリッジ装着部にはジョイントが設けられており、カートリッジ装着部へ挿入された容器本体の被係合部がロック部材と係合した状態において、ポートとジョイントとが接続される。これにより、前述されたセンサと容器本体の検出部との対応と同様に、ポートとジョイントとが好適な接続状態となるように、容器本体がカートリッジ装着部に対して精度良く位置決めされる。
【００２１】
(3)  上記検出部に、上記インク室におけるインク量が所定量以下となるときに姿勢変化するインジケータが設けられてもよい。
【００２２】
インジケータは、例えばインクに対して所定の浮力を有してインク量に応じて検出部において姿勢変化する。また、インジケータとは別にインク室にフロートが設けられ、そのフロートの姿勢変化に連動してインジケータが検出部において姿勢変化してもよい。インク室におけるインク量が予め設定された所定量以下となると、インジケータが姿勢変化し始める。このインジケータの姿勢変化によって、例えば検出部に照射された光が遮断されるか否かが光学的に変化する。このようなインジケータの姿勢変化をセンサが検出し、センサの検出信号に基づいて、インク室におけるインク量が所定量以下になったと判断することができる。
【００２３】
(4)  上記ロック部材として、第１端に上記被係合部と係合するロック部が設けられ、第２端に操作レバーが設けられたロックアームと、当該ロックアームを、上記ロック部が上記被係合部から離脱する第１姿勢と、上記ロック部が上記被係合部と係合する第２姿勢との間で回動可能に支持する支持機構と、を具備するものがあげられる。
【００２４】
ロックアームは、例えばカートリッジ装着部に設けられた軸受けなどの支持機構に支持されて、第１姿勢と第２姿勢との間で回動可能である。ロックアームの第１端は、カートリッジ装着部において容器本体の被係合部と係合可能なロック部である。ロックアームの第２端は、ユーザによる操作が可能な操作レバーである。ロックアームが第２姿勢にされると、カートリッジ装着部に挿入された容器本体が脱抜方向に対してロックされる。操作レバーが回動されると、ロックアームが第１姿勢となり、カートリッジ装着部から容器本体が脱抜可能となる。
【発明の効果】
【００２５】
このように本発明にかかるインク供給装置によれば、カートリッジ装着部へ挿入されて脱抜方向へ付勢された容器本体が、その被係合部とロック部材との係合により脱抜方向に対して制止されるので、センサと容器本体の検出部との対応において、容器本体がカートリッジ装着部に対して精度良く位置決めされる。したがって、センサにより容器本体のインク残量が確実に検出される。
【００２６】
また、容器本体のポートとジョイントの接続において、容器本体がカートリッジ装着部に対して精度良く位置決めされる。したがって、容器本体のポートに対してジョイントが所望の接続状態とされる。
【発明を実施するための最良の形態】
【００２７】
以下、適宜図面を参照して本発明の実施形態を説明する。なお、本実施の形態は本発明の一例にすぎず、本発明の要旨を変更しない範囲で、実施形態を適宜変更できることは言うまでもない。
【００２８】
［図面の説明］
図１は、本発明にかかるインク供給装置２００の外観構成を示す斜視図である。なお、図２には、インク供給装置２００にインクカートリッジ１００が装着された状態（装着状態）が示されている。図２は、インクカートリッジ１００の外観構成を示す斜視図であり、（Ａ）には、スライダ４１が第１位置にある状態が示されており、（Ｂ）には、スライダ４１が第２位置にある状態が示されている。図３は、インクカートリッジ１００の側面図であり、（Ａ）には、スライダ４１が第１位置にある状態が示されており、（Ｂ）には、スライダ４１が第２位置にある状態が示されている。図４は、図２（Ａ）における切断線IV−IVの断面図である。図５は、容器本体４０の構成を示す斜視図であり、（Ａ）には、容器本体４０の背面３４側から見た斜視図が示されており、（Ｂ）には、容器本体４０の正面３５側から見た斜視図が示されている。図６は、図５における切断線VI−VIの断面図である。図７は、カートリッジ装着部２０２の構成を示す斜視図である。図８は、カートリッジ装着部２０２の平面図である。図９は、図８における切断線IX-IXの断面図である。図１０から図１２は、インクカートリッジ１００がカートリッジ装着部２０２に装着される過程を示す模式断面図である。図１０には、インクカートリッジ１００の装着過程が示されており、図１１には、インクカートリッジ１００が装着されてロックされた状態が示されており、図１２には、ロック解除直後のインクカートリッジ１００の状態が示されている。
【００２９】
［インク供給装置２００の概略構成］
以下に、インク供給装置２００の概略構成が説明される。インク供給装置２００は、例えばインクジェットプリンタなどのインクが消費される装置（以下、「インク消費装置」とも称される。）に適用される。インク供給装置２００は、インク消費装置に一体に構成されていてもよい。例えば、インク消費装置の筐体に扉によって開閉可能な開口が設けられ、この開口を通じて、インク供給装置２００が外部へ露出される。
【００３０】
インク供給装置２００は、主としてインクカートリッジ１００及びカートリッジ装着部２０２から構成されている。インクカートリッジ１００はカートリッジ方式であり、カートリッジ装着部２０２に対して着脱可能である。インク供給装置２００は、４種類のインクカートリッジ１００が着脱可能に構成されている。各インクカートリッジ１００には、シアン、マゼンタ、イエロー、ブラックのうちのいずれかの色のインクが収容されている。インク供給装置２００においてカートリッジ装着部２０２に装着された各インクカートリッジ１００から、各々が収容する各インクがインクジェットプリンタの記録ヘッドなどへ供給される。
【００３１】
［インクカートリッジ１００］
以下に、インクカートリッジ１００の詳細な構成が説明される。図２及び図３に示されるように、インクカートリッジ１００は、扁平形状の略六面体の外形、つまり扁平な直方体である。詳細には、インクカートリッジ１００の外形は、幅方向（矢印３１の方向）に対して細く、高さ方向（矢印３２の方向）及び奥行き方向（矢印３３の方向）に対して上記幅方向よりも長い略直方体形状である。このインクカートリッジ１００は、図２及び図３に示された起立状態、つまり、図中の下側の面を底面とし、図中の上側の面を上面として、カートリッジ装着部２０２に対して矢印３０で示される方向（以下「挿入方向３０」と称する。）に挿入される。なお、本明細書において、特に言及しない限りインクカートリッジ１００の底面及び上面は、図２及び図３に示される起立状態におけるものを指す。
【００３２】
インクカートリッジ１００は、大別して、インクが収容される容器本体４０（図４参照）と、スライダ４１と、本体カバー４２と、コイルバネ４８，４９（図４参照）とを備えている。インクカートリッジ１００の外装はスライダ４１及び本体カバー４２によって概ね構成されている。容器本体４０は、スライダ４１及び本体カバー４２で概ね覆われている。本体カバー４２が、本発明におけるカバー部材に相当する。コイルバネ４８，４９が、本発明における弾性部材に相当する。
【００３３】
本体カバー４２は、容器本体４０を概ね覆うが、容器本体４０のストッパ１２５が本体カバー４２から露出される。スライダ４１は、本体カバー４２の背面部分４６を覆う。本体カバー４２の背面部分４６とは、挿入方向３０に対して前側となる本体カバー４２の一部である。
【００３４】
スライダ４１は、インクカートリッジ１００の奥行き方向（矢印３３の方向）へスライド可能であり、容器本体４０の背面３４（図４参照）から最も離された第１位置（図２（Ａ）参照）と、容器本体４０の背面３４に最も近づけられた第２位置（図２（Ｂ）参照）との間でスライドされる。スライダ４１が第２位置となると、後述されるインク供給バルブ９０のキャップ９５（図４参照）がスライダ４１から外部へ突出される。スライダ４１が第１位置となると、キャップ９５がスライダ４１内に没入される。このような容器本体４０、本体カバー４２及びスライダ４１の詳細な構成がそれぞれ後述される。
【００３５】
［容器本体４０］
以下に、容器本体４０の詳細な構成が説明される。図５及び図６に示されるように、容器本体４０は、概ね扁平形状の略六面体の外形である。本実施形態では、図６に示されるように、容器本体４０において、挿入方向３０に対して前方となる面が背面３４であり、挿入方向３０に対して後方となる面が正面３５であり、重力方向に対して上方側の面が上面３６であり、重力方向に対して下方側の面が底面３７である。
【００３６】
容器本体４０は、大別して、フレーム５０と、アーム７０と、大気連通バルブ８０と、インク供給バルブ９０と、透明な樹脂からなるフィルム（不図示）とにより構成されている。図５及び図６には現れていないが、フレーム５０の両側面にフィルムがそれぞれ溶着されて、このフィルムとフレーム５０とによって一定の空間が液密に形成される。このフレーム５０の内側の一定空間がインク室１０２である。インク室１０２には所定のインクが注入されて貯留される。
【００３７】
なお、本実施形態では、フレーム５０及びフィルムによってインク室１０２が形成される態様が示されているが、例えば、フレーム５０自体を直方体の容器形状として、その内部空間がインク室１０２とされてもよい。
【００３８】
フレーム５０は、容器本体４０の外壁を構成する部材である。フレーム５０は、前述されたように、容器本体４０の背面３４、正面３５、上面３６、及び底面３７を形成する。フレーム５０は、透光性のある部材、例えば、透明又は半透明の樹脂材料で構成されており、例えば、樹脂材料を射出成形して得られる。このような樹脂材料として、例えばポリアセタールやナイロン、ポリエチレン、ポリプロピレンなどがあげられる。
【００３９】
フレーム５０の背面３４には、検出部１４０が形成されている。検出部１４０は、インク室１０２に貯留されているインクの量を視覚的或いは光学的に検出するためのものである。検出部１４０は、フレーム５０に一体に形成されている。したがって、検出部１４０は、フレーム５０と同じ材質、つまり、透光性のある透明又は半透明の樹脂材料からなり、外部からの光が透過しうる。検出部１４０の下部の照射領域１４４（図４において破線で囲まれた領域）に、カートリッジ装着部２０２に設けられた光センサ１８１（図９参照）から光が照射される。
【００４０】
検出部１４０は、容器本体４０の背面３４の中段付近から容器本体４０の外側へ突出する。検出部１４０は、５つの壁面で区画された略直方体形状であり、その内部に中空の空間１４２を有する。空間１４２は、インク室１０２と連通されている。この空間１４２に、インク室１０２に配置されたアーム７０のインジケータ７２が進入可能である。
【００４１】
アーム７０は、支持部材７４によってインク室１０２において回動可能に支持されている。支持部材７４は、フレーム５０に一体に形成されており、アーム７０を軸支するための支持軸７７を有する。アーム７０は、Ｚ形状に曲折された棒状部材であり、一方端にインジケータ７２が設けられている。インジケータ７２は、空間１４２に進入しており、アーム７０の回動に伴って空間１４２において上下方向に移動しうる。アーム７０の他方端にフロート７３が設けられている。フロート７３は、インク室１０２に貯留されるインクに対して所定の浮力を有する。フロート７３の浮力は、例えば、フロート７３の内部に形成された中空部分の容積や素材などによって調整される。インク室１０２に収容されているインクが消費されると、インク室１０２におけるインクの液面が降下し、この液面の降下に伴ってフロート７３が姿勢変化（変位）する。このフロート７３の変位によってアーム７０が回動しうる。
【００４２】
インク室１０２に所定量より多くのインクが存在するときは、フロート７３が上昇する。フロート７３の上昇に伴って、インジケータ７２が空間１４２の下方へ移動して遮光姿勢（図６の実線で表された姿勢）となる。遮光姿勢のインジケータ７２は、検出部１４０の下部の照射領域１４４において光センサ１８１の発光素子から照射された光を遮断する。インク室１０２のインクが所定量以下になると、インクの液面の降下に応じてフロート７３が降下する、フロート７３の降下に伴って、インジケータ７２が空間１４２の上方へ移動して透光姿勢（図６の破線で表された姿勢）となる。透光姿勢のインジケータ７２は、照射領域１４４に存在せず、照射領域１４４において光センサ１８１の発光素子から照射された光を遮断しない。
【００４３】
フレーム５０の背面３４の下部に、バルブ収容室５４が形成されている。バルブ収容室５４は、フレーム５０の背面３４からフレーム５０の内側へ延出された円筒形状の空間である。バルブ収容室５４は、フレーム５０の背面３４において開口する。バルブ収容室５４は、その奥部においてインク室１０２と通ずる。バルブ収容室５４に、インク供給バルブ９０が収容されている。
【００４４】
インク供給バルブ９０は、フレーム５０の背面３４からインク室１０２に至るインク経路を開放又は閉塞する弁である。このインク供給バルブ９０は、主として、バルブ本体９７、コイルバネ９６、シール部材９３、キャップ９５から構成されている。 バルブ収容室５４がフレーム５０の背面３４において開口する部分には、シール部材９３を介在させてキャップ９５が取り付けられている。キャップ９５及びシール部材９３には、各々貫通孔（不図示）が設けられている。これら貫通孔は連通している。各貫通孔によって、バルブ収容室５４の内部と外部とを連通するインク供給口９１が形成される。インク供給口９１には、インクカートリッジ１００がカートリッジ装着部２０２に装着されたときに、管状のインクニードル２０９（図９参照）が挿入される。このインク供給口９１が、本発明におけるポートに相当する。
【００４５】
コイルバネ９６は、バルブ収容室５４に設けられて、インク供給口９１を閉塞する方向へバルブ本体９７を付勢する。つまり、コイルバネ９６は、バルブ本体９７をシール部材９３へ近づける方向へ付勢している。したがって、インク供給バルブ９０は、外力が付与されなければ、コイルバネ９６がバルブ本体９７をシール部材９３に密着させることによって、インク供給口９１を閉塞する。一方、インク供給口９１に外側からインクニードル２０９が挿入されると、インクニードル２０９の先端がバルブ本体９７を押し込み、コイルバネ９６の付勢力に抗してバルブ本体９７がシール部材９３から離間されるとともに、インク供給口９１はインクニードル２０９の外周面により液密に封止される。そして、インク供給口９１より内側へ進入したインクニードル２０９の先端へインク室１０２のインクが流れ込み、インクニードル２０９を通じてインク室１０２から外部へインクが流出可能となる。
【００４６】
フレーム５０の背面３４の上部には、大気連通バルブ８０が設けられている。大気連通バルブ８０は、フレーム５０の外側からインク室１０２に至る空気経路を開放又は閉塞する弁である。大気連通バルブ８０は、外力が付与されなければ空気経路を閉塞してインク室１０２を気密に保持する。一方、外力を受けて大気連通バルブ８０が開放されると、インク室１０２の空気層が大気圧になる。このような大気連通バルブ８０は任意の構成であり、例えば、大気連通バルブ８０に代えてフレーム５０にラビリンス構造の空気経路が形成されてもよい。
【００４７】
フレーム５０の背面３４における上端付近及び下端付近にバネ収容室１１０，１１１がそれぞれ形成されている。バネ収容室１１０，１１１は、いずれもフレーム５０の背面３４からインク室１０２側へ穿たれた略円筒状の孔である。バネ収容室１１０，１１１には、コイルバネ４８，４９がそれぞれ収容されている。このコイルバネ４８，４９は、スライダ４１を挿入方向３０へ付勢する。なお、バネ収容室１１０，１１１の位置や孔の内径寸法又は深さ寸法などは、収容されるバネの仕様に応じて適宜決定される要素であるが、容器本体４０の高さ方向（矢印３２の方向）に長尺なスライダ４１を、容器本体４０に対して安定姿勢を保持するように均等に付勢するには、本実施形態の如く、容器本体４０の高さ方向に隔てられた上下位置に一対のバネ収容室１１０，１１１が配置されることが望ましい。このコイルバネ４８，４９が、本発明における弾性部材に相当する。
【００４８】
フレーム５０の上面３６における挿入方向３０の前側に、支持部材１１５が設けられている。また、フレーム５０の底面３７における挿入方向３０の前側に、支持部材１１６が設けられている。各支持部材１１５，１１６は、フレーム５０に一体に形成されている。各支持部材１１５，１１６は、スライダ４１に形成された突片１９２，１９３とそれぞれ係合して、容器本体４０に対してスライダ４１をスライド可能に支持する。また、支持部材１１５，１１６がスライダ４１に係合することにより、容器本体４０からスライダ４１が脱抜することがない。
【００４９】
支持部材１１５は、フレーム５０の上面３６から垂直上方へ突出された基台１１８と、基台１１８の背面３４側の端に形成された鉤部１１９とを有する。鉤部１１９は、挿入方向３０から上向きに折れ曲がる鉤形状である。支持部材１１６は、フレーム５０の底面３７から垂直下方へ突出された基台１２１と、基台１２１の背面３４側の端に形成された鉤部１２２を有する。鉤部１２２は、挿入方向３０から下向きに折れ曲がる鉤形状である。
【００５０】
フレーム５０の上面３６に台部１２４が設けられている。台部１２４は、上面３６から上方へ突出する概ね台形状をなしており、上面３６において奥行き方向（矢印３３の方向）の中間部分から挿入方向３０の後側へ、つまり容器本体４０の正面３５側へ延出されている。台部１２４は、容器本体４０が本体カバー４２で覆われると、本体カバー４２の上面に設けられた開口１２８（図２参照）を通じて外部へ露出される。
【００５１】
台部１２４には、ストッパ１２５が設けられている。ストッパ１２５は、台部１２４における挿入方向３０の前側の端に設けられて、台部１２４の上面からさらに上方へ突出している。ストッパ１２５は、台部１２４の上面に対してほぼ垂直に起立する垂直壁１２６と、その上面が垂直壁１２６の上端から概ね４５度の角度で挿入方向３０の前側へ傾斜しながら降下するリブ１２７とを有する。ストッパ１２５は、インクカートリッジ１００がカートリッジ装着部２０２に装着されたときに、カートリッジ装着部２０２からインクカートリッジ１００が脱抜しないように装着状態をロックするためのものであり、このロックは、後述されるロックアーム２３０のロック部２３７（図９参照）との係合により達成される。ストッパ１２５が、本発明における被係合部に相当する。
【００５２】
フレーム５０には、複数の貫通孔１３０が設けられている。各貫通孔１３０は、フレーム５０において幅方向（図８の紙面に垂直な方向）へ貫通されており、フレーム５０において上面３６側及び底面３７側にそれぞれ４つずつ形成されている。この貫通孔１３０に本体カバー４２の係合爪１３２がそれぞれ係合して、容器本体４０と本体カバー４２とが組み付けられている。
【００５３】
［スライダ４１、本体カバー４２］
以下に、スライダ４１及び本体カバー４２の詳細な構成が説明される。図２及び図３に示されるように、本体カバー４２は、容器本体４０をほぼ収容可能な容器形状である。本体カバー４２は、容器本体４０の外形に対応して扁平な直方体の外形をなしている。
【００５４】
本体カバー４２の側面には、奥行き方向（矢印３３の方向）におけるほぼ中央付近に、段差４３が形成されている。本体カバー４２の側面は、段差４３を介して、インクカートリッジ１００の正面３５側となる正面部分４７と、背面３４側となる背面部分４６とに区分けされている。幅方向（矢印３１の方向）に対して、背面部分４６が正面部分４７よりも狭く、これにより、本体カバー４２の側面は二段の凹凸をなしている。この段差４３は、スライダ４１の左側壁１６５及び右側壁１６６の厚みに対応されている。
【００５５】
図２及び図４に示されるように、本体カバー４２における正面部分４７の上面には、開口１２８が設けられている。この開口１２８は、容器本体４０の台部１２４及びストッパ１２５が露出可能な矩形の長孔である。本体カバー４２が容器本体４０に組み付けられると、開口１２８から台部１２４及びストッパ１２５が外部へ露出される。
【００５６】
図２に示されるように、本体カバー４２は、幅方向（矢印３１の方向）に対して対称形状をなす一対となる左カバー４４と右カバー４５とからなる。左カバー４４及び右カバー４５は、その内面からほぼ水平方向へ突出する複数の係合爪１３２（図４参照）を有する。これら係合爪１３２が容器本体４０の貫通孔１３０にそれぞれ係合して、容器本体４０を挟み込むようにして、容器本体４０、左カバー４４及び右カバー４５が一体に組み付けられている。
【００５７】
スライダ４１は、本体カバー４２の背面部分４６を収容可能な容器形状であり、扁平形状の外形をなす。詳細には、スライダ４１は、容器本体４０の背面３４に対応する後壁１６１と、本体カバー４２の背面部分４６における上面に対応する上壁１６３と、背面部分４６における下面に対応する下壁１６４と、背面部分４６における両側面に対応する左側壁１６５及び右側壁１６６とを有する。これら各壁によって囲まれたスライダ４１の内部空間に本体カバー４２の背面部分４６が収容されうる。
【００５８】
スライダ４１の後壁１６１の中段付近には、幅方向（矢印３１の方向）へ切り欠き１８７形成されている。切り欠き１８７は、容器本体４０の検出部１４０を外部へ露出するための窓であり、側壁１６５及び側壁１６６が後壁１６１側の一部を残して幅方向（矢印３１の方向）へ矩形に貫欠されたものである。この切り欠き１８７は、光センサ１８１（図９参照）の発光素子から照射される光を透過しうる。
【００５９】
図４に示されるように、スライダ４１の内部には、ロッド１６８，１６９が設けられている。各ロッド１６８，１６９は、スライダ４１の後壁１６１の内面から容器本体４０の背面３４へ向かってほぼ水平方向に突出する。ロッド１６８は、後壁１６１における上側に配置され、ロッド１６９は、後壁１６１における下側に配置されている。ロッド１６８には、容器本体４０のバネ収容室１１０に配置されたコイルバネ４８が外嵌され、ロッド１６９には、容器本体４０のバネ収容室１１１に配置されたコイルバネ４９が外嵌される。各コイルバネ４８，４９が収縮されると、各ロッド４８，４９は、それぞれバネ収容室１１０，１１１に挿入される。
【００６０】
スライダ４１における上壁１６３の裏面側に、摺動溝１７１が形成されている。摺動溝１７１は、上壁１６３と、左側壁１６５の一部及び右側壁１６６の一部とで形成され、縦断面において下側が開放された逆Ｕ字形状をなす。また、摺動溝１７１の後壁１６１側は開口されている。この摺動溝１７１において、上壁１６３の裏面から突片１９２が垂下されている。この突片１９２に対して、支持部材１１５の大部分が摺動可能であるが、支持部材１１５の鉤部１１９が当接する。鉤部１１９は、突片１９２に対して後壁１６１側から当接する。この当接により、スライダ４１が容器本体４０から脱落することが防止される。鉤部１１９が突片１９２に当接しない範囲においては、基台１１８によって容器本体４０に対するスライダ４１のスライドが一定方向へ案内され、容器本体４０に対してスライダ４１がスライド自在である。
【００６１】
同様に、スライダ４１における下壁１６４の裏面側に、摺動溝１７２が形成されている。摺動溝１７２は、下壁１６４と、左側壁１６５の一部及び右側壁１６６の一部とで形成され、縦断面において上側が開放されたＵ字形状をなす。また、摺動溝１７２の後壁１６１側は開口されている。この摺動溝１７２において、下壁１６４の裏面から突片１９３が起立されている。この突片１９３に対して、支持部材１１６の大部分が摺動可能であるが、支持部材１１６の鉤部１２２が当接する。鉤部１２２は、突片１９３に対して後壁１６１側から当接する。この当接により、スライダ４１が容器本体４０から脱落することが防止される。鉤部１２２が突片１９３に当接しない範囲においては、基台１２１によって容器本体４０に対するスライダ４１のスライドが一定方向へ案内され、容器本体４０に対してスライダ４１がスライド自在である。スライダ４１の奥行き方向（矢印３３の方向）に対して、各突片１９２，１９３は同位置である。したがって、鉤部１１９が突片１９２に当接するスライダ４１のスライド位置と、鉤部１２２が突片１９３に当接するスライダ４１のスライド位置は同じである。
【００６２】
スライダ４１が容器本体４０に装着されている状態において、スライダ４１は、コイルバネ４８，４９によって容器本体４０の背面３４から離れる方向へ付勢されている。スライダ４１に外力が加えられていない状態では、スライダ４１は、突片１９２，１９３に鉤部１１９，１２２がそれぞれ当接して、図３（Ａ）に示される第１位置で静止する。一方、スライダ４１に対して後壁１６１側から押し込む外力が加えられると、スライダ４１がコイルバネ４８，４９の付勢力に抗して図３（Ｂ）に示される第２位置へスライドしうる。
【００６３】
スライダ４１には、後壁１６１における上側に開口１７７が形成されている。スライダ４１が容器本体４０に組み付けられた状態で、開口１７７の高さ位置は、大気連通バルブ８０に対応する。開口１７７は、大気連通バルブ８０を開放させるためのものであるが、本発明においては大気連通バルブ８０は任意の構成であるので、大気連通バルブ８０の開閉についての詳細な説明が省略される。
【００６４】
スライダ４１には、後壁１６１における下側に開口１７８が形成されている。スライダ４１が容器本体４０に組み付けられた状態で、開口１７８の高さ位置は、インク供給バルブ９０に対応する。開口１７８は、インク供給バルブ９０のキャップ９５が挿通可能な形状及びサイズである。スライダ４１が第２位置にあるときに、キャップ９５が開口１７８から露出される。
【００６５】
［カートリッジ装着部２０２］
以下に、カートリッジ装着部２０２の詳細な構成が説明される。図７に示されるように、カートリッジ装着部２０２は、前面に開口２０７を有する概ね直方体形状の外形をなすフレーム２０４によって主として形成されている。フレーム２０４の内部空間に、各インクカートリッジ１００がそれぞれ収容される。本実施形態において、カートリッジ装着部２０２は、各インクカートリッジ１００に対応する１つの空間である。つまり、４つのカートリッジ装着部２０２が幅方向（図７における左右方向）に並んで配置されており、各カートリッジ装着部２０２に、シアン、マゼンタ、イエロー、ブラックの各色に対応する４つのインクカートリッジ１００がそれぞれ収容可能である。なお、カートリッジ装着部２０２が並べられている幅方向は、インクカートリッジ１００の挿入方向３０と直交する水平方向である。
【００６６】
図７に示されるように、フレーム２０４には、内部空間を仕切り分ける３つのプレート２２３が設けられている。このプレート２２３によって仕切り分けられた４つの空間（カートリッジ装着部２０２）それぞれにインクカートリッジ１００が収容される。プレート２２３は、フレーム２０４の奥面から前面側へ突出された薄板であり、その表裏面がフレーム２０４の内部空間において上下方向へ延出されている。各プレート２２３は、フレーム２０４の幅方向（図７における左右方向）に所定間隔で平行に配列されている。フレーム２０４の内面とプレート２２３との間、或いは隣り合う一対のプレート２２３の間は、その間に収容されるべきインクカートリッジ１００の幅に対応されている。フレーム２０４及びプレート２２３により区画形成された各空間であるカートリッジ装着部２０２にインクカートリッジ１００が収容される。インクカートリッジ１００は、背面３４側からカートリッジ装着部２０２へ挿入される。
【００６７】
フレーム２０４における内面の底に、４つのガイド溝２０６が設けられている。各ガイド溝２０６は、フレーム２０４の内面とプレート２２３との間、或いは隣り合う一対のプレート２２３の間に設けられて、フレーム２０４の前面から奥部に渡って直線形状に形成されている。フレーム２０４内の各空間に収容されるインクカートリッジ１００は、各ガイド溝２０６に案内されて、フレーム２０４に対して所定の挿入方向で前面から奥部へ挿入される。この挿入方向は、インクカートリッジ１００の説明において前述された挿入方向３０と一致する。
【００６８】
フレーム２０４における内面の奥に、ジョイント２０８が設けられている。ジョイント２０８は、インクカートリッジ１００のインク供給口９１に接続されて、インク室１０２のインクを導出するためのものである。したがって、ジョイント２０８は、各カートリッジ装着部２０２に収容される４つのインクカートリッジ１００に対応して４つが設けられている。フレーム２０４には、その幅方向に４つのインクカートリッジ１００が収容されるので、４つのジョイント２０８もフレーム２０４の幅方向に配列されており、各ジョイント２０８の高さ位置は、カートリッジ装着部２０２に収容されたインクカートリッジ１００におけるインク供給口９１の高さ位置に対応されている。なお、図７においては、最も右側に配置されたジョイント２０８がフレーム２０４に隠れて現れていない。
【００６９】
各ジョイント２０８は、インクニードル２０９と保持部２１０とをそれぞれ有する。インクニードル２０９は、円筒形状の管であり、フレーム２０４の奥面から前面へ向かってほぼ水平方向へ突出されている。このインクニードル２０９の先端は開口しており、その先端がインクカートリッジ１００のインク供給バルブ９０へ挿入されて、インク供給バルブ９０を開放する。インクニードル２０９の基端は、図９に示されるように、フレーム２０４の背面側においてインクチューブ２１２に接続されている。図９においては、インクチューブ２１２が途中で分断されているが、実際には、インクチューブ２１２はインクジェットプリンタの記録ヘッドなどへ延出されている。
【００７０】
保持部２１０は、フレーム２０４の奥面に設けられて、インクニードル２０９の基端側を囲繞する円筒形状である。保持部２１０の軸線とインクニードル２０９の軸線１５３とはほぼ一致する。インクカートリッジ１００がカートリッジ装着部２０２に装着されると、キャップ９５（図２（Ｂ）参照）が保持部２１０内に嵌合されるとともに、インクニードル２０９がインク供給バルブ９０のインク供給口９１へ挿入される。
【００７１】
フレーム２０４の内面における奥には、光センサ１８１が設けられている。各光センサ１８１の高さ位置は、カートリッジ装着部２０２に装着されたインクカートリッジ１００の検出部１４０に対応する。光センサ１８１は、各カートリッジ装着部２０２に装着される４つのインクカートリッジ１００に対応して、フレーム２０４の幅方向に４つが並べられている。なお、図４では、最も右側に配置された光センサ１８１がフレーム２０４に隠されて現れていない。光センサ１８１は、インクカートリッジ１００のインク室１０２内のインク量が所定量以下になったかどうかを検出するための信号を出力する。
【００７２】
光センサ１８１は、いわゆるフォトインタラプタであり、発光素子から照射された光が受光素子に受光され、その受光強度に応じた電気信号を出力する。光センサ１８１の発光素子から出射された光がインクカートリッジ１００の検出部１４０における照射領域１４４に照射され、照射領域１４４を通過する光が受光素子によって受光される。光センサ１８１は、受光素子が受光する光強度に応じた電気信号を出力するので、この光センサ１８１からの電気信号に基づいて、インク室１０２に残存するインクが所定量以下であるかどうかを判断しうる。
【００７３】
各光センサ１８１において発光素子及び受光素子は水平方向に対向して配置されており、この発光素子から受光素子への光路に、インクカートリッジ１００の検出部１４０が進入可能である。光センサ１８１の光路に対応した位置へ、検出部１４０の照射領域１４４が位置決めされることによって、検出部１４０におけるインジケータ７２の姿勢変化が光センサ１８１によって光学的に検出可能となる。
【００７４】
図７から図９に示されるように、フレーム２０４の上面にはロックアーム２３０が設けられている。ロックアーム２３０は、カートリッジ装着部２０２においてインクカートリッジ１００を装着状態にロックするためのものであり、本発明におけるロック部材の一部をなす。フレーム２０４には、４つのインクカートリッジ１００に対応して４つのロックアーム２３０が幅方向に並んで配置されている。
【００７５】
図９に示されるように、ロックアーム２３０は、フレーム２０４の前面から奥面へ延び、その延出方向に対してクランク形状に曲折されている。ロックアーム２３０の延出方向の中央付近に支持軸２３２が設けられている。この支持軸２３２は、ロックアーム２３０の両端から水平方向へ突出したピン形状である。図９には詳細に示されていないが、フレーム２０４の上面付近に、支持軸２３２を支持可能な一対の軸受けが形成されており、この一対の軸受けに支持軸２３２がそれぞれ回転自在に支持されて、フレーム２０４にロックアーム２３０が支持軸２３２周りに回動可能に支持されている。この支持軸２３２及びフレーム２０４の一対の軸受けが、本発明における支持機構に相当する。
【００７６】
ロックアーム２３０は、フレーム２０４の前面側となる第１端に操作レバー２３４を有し、フレーム２０４の奥面側となる第２端にロック部２３７を有する。操作レバー２３４は、フレーム２０４の前面から手前側へ突出しており、その上面が手の指の腹に沿った皿形状である。ロックアーム２３０は、その幅方向の厚み、換言すればインクカートリッジ１００が挿入される挿入方向３０と直交する水平方向の厚みが、インクカートリッジ１００の厚みより小さい。これにより、各インクカートリッジ１００が収容される幅の範囲内にロックアーム２３０が配置されている。ロック部２３７は、その下面が延出方向に対して円周面をなして、その先端が延出方向に対してほぼ直交する面となっている。
【００７７】
ロックアーム２３０がクランク形状に曲折する部分における下側の隅部２４３は、操作レバー２３４が下方へ押圧された際に、操作レバー２３４の下方において突出するフレーム２０４の突片２３６に当接して、ロックアーム２３０の回動範囲を制限する。一方、フレーム２０４の前面における上縁部２０５は、ロックアーム２３０の上面と当接して、ロックアーム２３０の回動範囲を制限する。つまり、ロックアーム２３０は、フレーム２０４の突片２３６及び上縁部２０５によって、その回動範囲が制限されている。
【００７８】
ロックアーム２３０とフレーム２０４との間には、コイルバネ２１９が設けられている。ロックアーム２３０がクランク形状に曲折する部分には、その上面から上方へ鈎形状に突出する掛け部２４１が設けられている。この掛け部２４１は、コイルバネ２１９の一端を掛止するためのものである。フレーム２０４の上面には、コイルバネ２１９の他端を掛止する掛け部２３９が水平方向へ突出されている。掛け部２３９は、４つのロックアーム２３０に対応してフレーム２０４に４つが形成されている。この掛け部２３９，２４１に両端がそれぞれ掛止されて、ロックアーム２３０とフレーム２０４との間にコイルバネ２１９が張られている。コイルバネ２１９は、ロックアーム２３０とフレーム２０４との間に張られた状態において収縮力を発生させる。このコイルバネ２１９の収縮力によって、ロックアーム２３０は、図９における時計回り方向（矢印２４５の方向）への回動力が付与される。
【００７９】
操作レバー２３４に外力が加えられていない状態では、ロックアーム２３０は、コイルバネ２１９により矢印２４５方向へ付勢されるとともに、上縁部２０５により回動が規制された状態で保持される。この姿勢が、本発明において第２姿勢と称される。第２姿勢において、操作レバー２３４の上面は、概ね水平方向であり、ロック部２３７は、フレーム２０４の内面から下方へ突出している。第２姿勢におけるロック部２３７の突出位置は、カートリッジ装着部２０２に収容されるインクカートリッジ１００と当接しうる位置である。具体的には、第２姿勢におけるロック部２３７がインクカートリッジ１００のストッパ１２５と係合して、カートリッジ装着部２０２に挿入されたインクカートリッジ１００を脱抜方向（挿入方向３０と反対方向）に対して制止する。コイルバネ２１９の収縮力に抗して、操作レバー２３４が下げられると、ロックアーム２３０が、矢印２４５と反対方向へ回動され、ロック部２３７がフレーム２０４の内面へ没入する（図１２参照）。この姿勢が、本発明において第１姿勢と称される。第１姿勢において、ロック部２３７は、カートリッジ装着部２０２に収容されるインクカートリッジ１００と当接しない位置にある。
【００８０】
［インクカートリッジ１００の着脱動作］
以下に、カートリッジ装着部２０２に対してインクカートリッジ１００を着脱する動作が説明される。図９に示されるように、カートリッジ装着部２０２にインクカートリッジ１００が装着されておらず、かつロックアーム２３０の操作レバー２３４に外力が加えられていない状態では、コイルバネ２１９の収縮力によって、ロックアーム２３０が第２姿勢に維持される。この第２姿勢において、操作レバー２３４の上面は概ね水平方向であり、ロック部２３７はフレーム２０４の内面から下方へ突出している。したがって、カートリッジ装着部２０２にインクカートリッジ１００が挿入されると、ロック部２３７付近がインクカートリッジ１００に当接しうる。また、挿入前のインクカートリッジ１００においては、コイルバネ４８，４９に弾性付勢されて、スライダ４１が第１位置にある。
【００８１】
インクカートリッジ１００の装着に際しては、図１０に示されるように、インクカートリッジ１００を、フレーム２０４の開口２０７からカートリッジ装着部２０２へ挿入する。インクカートリッジ１００の挿入方向３０は水平方向である。インクカートリッジ１００の底面は、フレーム２０４に形成されたガイド溝２０６に嵌り込み、インクカートリッジ１００をカートリッジ装着部２０２へ押し込むと、ガイド溝２０６によってインクカートリッジ１００がカートリッジ装着部２０２の奧へ直線的に案内される。
【００８２】
一方、インクカートリッジ１００の上面３６においては、スライダ４１の上壁１６３にロックアーム２３０のロック部２３７が当接する。ロック部２３７の下面が延出方向に対して円周面をなしているので、この円周面に案内されてロック部２３７がスライダ４１の上壁１６３へ円滑に移動される。これにより、ロックアーム２３０が、コイルバネ２１９の収縮力に抗して矢印２４６へ回動する。
【００８３】
さらに、インクカートリッジ１００をカートリッジ装着部２０２の奥へ押し込むと、スライダ４１の後壁１６１がカートリッジ装着部２０２の奥面に当接する。このとき、ロック部２３７は、スライダ４１のガイド面１６２から本体カバー４２のガイド面１２９へ摺動する。また、スライダ４１の切り欠き１８７が光センサ１８１の光路に進入する。
【００８４】
スライダ４１がカートリッジ装着部２０２の奥面に当接してから、さらにインクカートリッジ１００をカートリッジ装着部２０２の奧へ押し込むと、コイルバネ４８，４９が圧縮されて収縮する。コイルバネ４８，４９を収縮させる力は、インクカートリッジ１００を押し込む力である。スライダ４１は、カートリッジ装着部２０２の奥面に当接して静止しているので、本体カバー４２がスライダ４１に対して相対移動しながらカートリッジ装着部２０２へ押し込まれ、その結果、第１位置のスライダ４１が第２位置へスライドされる。
【００８５】
本体カバー４２の移動に伴って容器本体４０も共に移動し、スライダ４１の開口１７８からインク供給バルブ９０のキャップ９５が露出されてジョイント２０８の保持部２１０と嵌合し、かつ、コイルバネ９６の付勢力に抗してインク供給口９１にインクニードル２０９が挿入される。このコイルバネ９６を収縮させる力は、インクカートリッジ１００をカートリッジ装着部２０２へ押し込む力である。これにより、ジョイント２０８にインク供給バルブ９０が接続され、インク室１０２のインクがインク供給口９１及びインクニードル２０９を通じて外部へ流出しうる。
【００８６】
また、光センサ１８１の光路には、スライダ４１の切り欠き１８７を介して検出部１４０が進入する。スライダ４１が第２位置にあるとき、検出部１４０の照射領域１４４は、光センサ１８１の光路より挿入方向３０の前側まで進入可能である。つまり、検出部１４０の照射領域１４４と光センサ１８１の光路との位置関係において、容器本体４０がカートリッジ装着部２０２へオーバーシュート可能である。
【００８７】
容器本体４０がカートリッジ装着部２０２へオーバーシュートされると、検出部１４０の照射領域１４４は、光センサ１８１の光路から外れうる。実際に、検出部１４０の照射領域１４４が光センサ１８１の光路から外れるか否かは、容器本体４０、スライダ４１及び本体カバー４２の公差や、これらの組み付け誤差に依存する。したがって、公差の累積や組み付け誤差が大きい場合には、前述されたオーバーシュートによって、検出部１４０の照射領域１４４が光センサ１８１の光路から外れる。
【００８８】
また、容器本体４０がカートリッジ装着部２０２に対してオーバーシュートされると、インクニードル２０９が、インク供給バルブ９０のバルブ本体９７を最も奥側まで押し込み、コイルバネ９６が最大限に収縮される。
【００８９】
また、容器本体４０がカートリッジ装着部２０２に対してオーバーシュートされると、ロックアーム２３０のロック部２３７は、本体カバー４２の上面から容器本体４０のリブ１２７へ到達し、さらに、リブ１２７の上面に案内されて垂直壁１２６を乗り越えて台部１２４へ至る。ロック部２３７が台部１２４へ到達すると、ロックアーム２３０が矢印２４５へ回動して第２姿勢に復帰する。
【００９０】
容器本体４０がカートリッジ装着部２０２に対して完全にオーバーシュートされると、さらにインクカートリッジ１００をカートリッジ装着部２０２の奧へ押し込むことはできない。そして、インクカートリッジ１００をカートリッジ装着部２０２に対して押し込むことを止めると、コイルバネ４８，４９に弾性付勢されてスライダ４１が第２位置から第１位置へ復帰しようとする。スライダ４１は、カートリッジ装着部２０２の奥面に当接しているので、本体カバー４２が、スライダ４１に対して相対移動してカートリッジ装着部２０２から脱抜する方向（挿入方向３０と反対方向）へ移動しようとする。つまり、容器本体４０は、前述されたオーバーシュートされた状態から脱抜方向へ戻る。
【００９１】
本体カバー４２がスライダ４１に対して脱抜方向へ相対移動すると、第２姿勢のロックアーム２３０におけるロック部２３７が容器本体４０の台部１２４を摺動して垂直壁１２６へ到達する。そして、ロック部２３７がストッパ１２５の垂直壁１２６と係合することにより、インクカートリッジ１００をカートリッジ装着部２０２から脱抜する方向へ付勢するコイルバネ４８，４９の付勢力に抗して、容器本体４０が脱抜方向に対して制止される。なお、前述されたように、ロック部２３７の先端面はほぼ垂直面なので、垂直壁１２６と当接すると、垂直壁１２６の上端側へ移動することがない。その結果、インクカートリッジ１００がカートリッジ装着部２０２に装着された状態にロックされる。
【００９２】
前述されたインクカートリッジ１００のロックは、容器本体４０のストッパ１２５とカートリッジ装着部２０２のロック部２３７との係合によってなされているので、カートリッジ装着部２０２に対して容器本体４０が直接に位置決めされる。この位置決めにより、容器本体４０に設けられた検出部１４０の照射領域１４４が、カートリッジ装着部２０２に設けられた光センサ１８１の光路へ進入する。この状態で、光センサ１８１は、検出部１４０を通じてアーム７０のインジケータ７２の動きを検出しうる。検出部１４０の照射領域１４４と光センサ１８１の光路との位置決めにおいて、スライダ４１及び本体カバー４２の公差や、これらと容器本体４０との組み付け誤差が影響しないので、これら公差の累積や組み付け誤差の大小に拘わらず、検出部１４０の照射領域１４４が光センサ１８１の光路に対して精度よく位置決めされる。
【００９３】
また、インク供給バルブ９０においては、インクニードル２０９に押圧されて最大限に収縮されたコイルバネ９６が弾性復帰して、バルブ本体９７がシール部材９３側へ若干戻る。したがって、バルブ本体９７やインクニードル２０９に対してコイルバネ９６から過剰な付勢力が付加されず、かつインク供給バルブ９０が開放されて、インク室１０２からインクニードル２０９へインクが流出可能となる。このようなインクニードル２０９の先端がインク供給口９１から挿入される位置についても、スライダ４１及び本体カバー４２の公差や、これらと容器本体４０との組み付け誤差が影響しないので、これら公差の累積や組み付け誤差の大小に拘わらず、インクニードル２０９がの先端がインク供給口９１に対して精度よく位置決めされる。
【００９４】
インク供給装置２００からインクジェットプリンタの記録ヘッドなどにインクが供給されて、インクカートリッジ１００のインクが消費されると、インク室１０２においてインクの液面が徐々に降下する。そして、インク室１０２のインクが所定量以下になると、前述されたようにフロート７３が降下し、その降下分だけアーム７０が回動する。このアーム７０の回動に伴って、検出部１４０においてインジケータ７２が上方へ移動する。そして、インジケータ７２が光センサ１８１の光路を外れるまで上方へ移動すると、光センサ１８１の出力信号が変化する。光センサ１８１の出力変化に基づいてインク室１０２のインク残量が所定量以下になったと判定することができる。例えば、インクジェットプリンタのディスプレイにインクカートリッジ１００の交換を促す表示が行われることによって、ユーザは、インクカートリッジ１００の交換が必要であること認知する。
【００９５】
インクカートリッジ１００の交換に際しては、インクカートリッジ１００のロックを解除するために、ロックアーム２３０の操作レバー２３４を押し下げる。これにより、ロックアーム２３０は支持軸２３２を中心にして矢印２４６の方向へ回動し、ロックアーム２３０が第２姿勢から第１姿勢へ姿勢変化する。ロックアーム２３０が第１姿勢になると、ロック部２３７が台部１２４から離れて垂直壁１２６より上側へ移動する。
【００９６】
ロック部２３７が垂直壁１２６より上側へ移動すると、容器本体４０は脱抜方向に対して制止されない。したがって、前述されたコイルバネ４８，４９の付勢力を受けて容器本体４０が脱抜方向へ移動し、スライダ４１が相対的に第２位置から第１位置へスライドする。この容器本体４０の移動に伴って、検出部１４４が光センサ１８１の光路から外れ、また、インク供給バルブ９０においては、インク供給口９１からインクニードル２０９が脱抜するとともにバルブ本体９７がインク供給口９１を閉塞する。さらに、ジョイント２０８の保持部２１０からキャップ９５が外れる。
【００９７】
スライダ４１が第１位置へスライドして、前述されたコイルバネ４８，４９の付勢力が容器本体４０に作用しなくなっても、前述された容器本体４０の移動による慣性力によって、インクカートリッジ１００の一部がカートリッジ装着部２０２から脱抜方向へ飛び出す。そして、カートリッジ装着部２０２から飛び出したインクカートリッジ１００を挟み持ってカートリッジ装着部２０２から引き出すことにより、インクカートリッジ１００がカートリッジ装着部２０２から取り外される。
【００９８】
［本実施形態の作用効果］
前述されたように、インク供給装置２００によれば、カートリッジ装着部２０２へ挿入されてコイルバネ４８，４９により脱抜方向へ付勢された容器本体４０が、ストッパ１２５とロック部２３７との係合により脱抜方向に対して制止されるので、光センサ１８１の光路と検出部１４０の照射領域１４４との対応において、容器本体４０がカートリッジ装着部２０２に対して精度良く位置決めされる。したがって、光センサ１８１によりインク室１０２のインク残量が確実に検出されうる。
【００９９】
また、インクカートリッジ１００においては、ストッパ１２５を露出させる開口１２８を有する本体カバー４２によって容器本体４０が覆われているので、二重構造のインクカートリッジ１００においても、スライダ４１及び本体カバー４２の公差や、これらと容器本体４０との組み付け誤差が影響することなく、容器本体４０がカートリッジ装着部２０２に対して精度よく位置決めされる。
【０１００】
また、容器本体４０に、インク室１０２からインクを外部へ流出させるためのインク供給バルブ９０が設けられ、カートリッジ装着部２０２に、インク供給バルブ９０のインク供給口９１に挿入されるインクニードル２０９が設けられているので、インク供給口９１とインクニードル２０９の先端との対応において、容器本体４０がカートリッジ装着部２０２に対して精度よく位置決めされる。したがって、バルブ本体９７やインクニードル２０９に対してコイルバネ９６から過剰な付勢力が付加されず、かつインク供給バルブ９０が確実に開放されうる。
【０１０１】
なお、本実施形態においては、インクカートリッジ１００が容器本体４０及びスライダ４１を備え、これらの間に介在されたコイルバネ４８，４９が、本発明における弾性部材として作用することとしたが、本発明における弾性部材はカートリッジ装着部２０２に設けられてもよい。例えば、インクカートリッジ１００がスライダ４１の如き部材を有しないものとして、カートリッジ装着部２０２にインクカートリッジ１００を脱抜方向へ弾性付勢するバネなどの弾性部材が設けられてもよい。また、カートリッジ装着部２０２に弾性部材を設けることなく、インク供給バルブ９０におけるコイルバネ９６などが本発明における弾性部材として作用するようにしてもよい。
【図面の簡単な説明】
【０１０２】
【図１】図１は、本発明にかかるインク供給装置２００の外観構成を示す斜視図である。
【図２】図２は、インクカートリッジ１００の外観構成を示す斜視図であり、（Ａ）には、スライダ４１が第１位置にある状態が示されており、（Ｂ）には、スライダ４１が第２位置にある状態が示されている。
【図３】図３は、インクカートリッジ１００の側面図であり、（Ａ）には、スライダ４１が第１位置にある状態が示されており、（Ｂ）には、スライダ４１が第２位置にある状態が示されている。
【図４】図４は、図２（Ａ）における切断線IV−IVの断面図である。
【図５】図５は、容器本体４０の構成を示す斜視図であり、（Ａ）には、容器本体４０の背面３４側から見た斜視図が示されており、（Ｂ）には、容器本体４０の正面３５側から見た斜視図が示されている。
【図６】図６は、図５における切断線VI−VIの断面図である。
【図７】図７は、カートリッジ装着部２０２の構成を示す斜視図である。
【図８】図８は、カートリッジ装着部２０２の平面図である。
【図９】図９は、図８における切断線IX-IXの断面図である。
【図１０】図１０は、インクカートリッジ１００がカートリッジ装着部２０２に装着される過程を示す模式断面図である。
【図１１】図１１は、インクカートリッジ１００がカートリッジ装着部２０２に装着される過程を示す模式断面図である。
【図１２】図１２は、インクカートリッジ１００がカートリッジ装着部２０２に装着される過程を示す模式断面図である。
【符号の説明】
【０１０３】
４０・・・容器本体
４２・・・本体カバー（カバー部材）
４８，４９・・・コイルバネ（弾性部材）
５０・・・フレーム（外壁）
７２・・・インジケータ
９１・・・インク供給口（ポート）
１０２・・・インク室
１２５・・・ストッパ（被係合部）
１２８・・・開口
１４０・・・検出部
１８１・・・光センサ
２００・・・インク供給装置
２０２・・・カートリッジ装着部
２０８・・・ジョイント
２３０・・・ロックアーム
２３２・・・支持軸（支持機構）
２３４・・・操作レバー
２３７・・・ロック部
【図１】
0005034907.tif 000002
【図２】
0005034907.tif 000003
【図３】
0005034907.tif 000004
【図４】
0005034907.tif 000005
【図５】
0005034907.tif 000006
【図６】
0005034907.tif 000007
【図７】
0005034907.tif 000008
【図８】
0005034907.tif 000009
【図９】
0005034907.tif 000010
【図１０】
0005034907.tif 000011
【図１１】
0005034907.tif 000012
【図１２】
0005034907.tif 000013